(57)【特許請求の範囲】
【請求項１】
アンテナが接続されるように構成されたアンテナ端子と、
送信回路が接続されるように構成され、かつ前記アンテナ端子に接続された送信側フィルタと、
受信回路が接続されるように構成され、かつ前記アンテナ端子に接続された受信側フィルタと、を備え、
前記送信側フィルタの通過帯域は前記受信側フィルタの通過帯域より低く、
前記送信側フィルタは、
前記送信回路と前記アンテナ端子のうちの一方に接続された第１の端子と、
前記送信回路と前記アンテナ端子のうちの他方に接続された第２の端子と、
前記第１の端子に接続された第１の端と、第２の端とを有する第１の直列共振器と、
前記第１の直列共振器の前記第２の端に第１の接続点で接続された第１の端と、前記第２の端子に接続された第２の端とを有する第２の直列共振器と、
前記第１の直列共振器の前記第１の端に接続された第１の端と、第２の端とを有する第１の並列共振器と、
前記第１の接続点に接続された第１の端と、前記第１の並列共振器の前記第２の端に第２の接続点で接続された第２の端とを有する第２の並列共振器と、
前記第１の接続点に接続された第１の端と、第２の端とを有する第３の並列共振器と、
前記第２の直列共振器の前記第２の端に接続された第１の端と、前記第３の並列共振器の前記第２の端に第３の接続点で接続された第２の端とを有する第４の並列共振器と、
前記第２の接続点に接続された第１の端と、グランドに接続された第２の端とを有する第１のインダクタンス素子と、
前記第３の接続点に接続された第１の端と、前記グランドに接続された第２の端とを有する第２のインダクタンス素子と、
を含み、
前記第１の並列共振器と前記第２の並列共振器と前記第１のインダクタンス素子とで前記送信側フィルタの通過帯域よりも低い周波数において減衰極を作り、
前記第３の並列共振器と前記第４の並列共振器と前記第２のインダクタンス素子とで前記送信側フィルタの通過帯域よりも高い周波数において減衰極を作り、
前記第２のインダクタンス素子のインダクタンスは前記第１のインダクタンス素子のインダクタンスの１／５倍よりも小さい、アンテナ共用器。
【請求項２】
アンテナが接続されるように構成されたアンテナ端子と、
送信回路が接続されるように構成され、かつ前記アンテナ端子に接続された送信側フィルタと、
受信回路が接続されるように構成され、かつ前記アンテナ端子に接続された受信側フィルタと、を備え、
前記送信側フィルタの通過帯域は前記受信側フィルタの通過帯域より低く、
前記送信側フィルタは、
前記送信回路に接続された第１の端子と、
前記アンテナ端子に接続された第２の端子と、
前記第１の端子に接続された第１の端と、第２の端とを有する第１の直列共振器と、
前記第１の直列共振器の前記第２の端に第１の接続点で接続された第１の端と、前記第２の端子に接続された第２の端とを有する第２の直列共振器と、
前記第１の直列共振器の前記第１の端に接続された第１の端と、第２の端とを有する第１の並列共振器と、
前記第１の接続点に接続された第１の端と、前記第１の並列共振器の前記第２の端に第２の接続点で接続された第２の端とを有する第２の並列共振器と、
前記第１の接続点に接続された第１の端と、第２の端とを有する第３の並列共振器と、
前記第２の直列共振器の前記第２の端に接続された第１の端と、前記第３の並列共振器の前記第２の端に第３の接続点で接続された第２の端とを有する第４の並列共振器と、
前記第２の接続点に接続された第１の端と、グランドに接続された第２の端とを有する第１のインダクタンス素子と、
前記第３の接続点に接続された第１の端と、前記グランドに接続された第２の端とを有する第２のインダクタンス素子と、
を含み、
前記第１の並列共振器と前記第２の並列共振器と前記第１のインダクタンス素子とで前記送信側フィルタの通過帯域よりも低い周波数において減衰極を作り、
前記第３の並列共振器と前記第４の並列共振器と前記第２のインダクタンス素子とで前記送信側フィルタの通過帯域よりも高い周波数において減衰極を作り、
前記第２のインダクタンス素子のインダクタンスは前記第１のインダクタンス素子のインダクタンスよりも小さい、アンテナ共用器。
【請求項３】
前記第２の並列共振器の容量は前記第３の並列共振器の容量よりも大きい、請求項１または２に記載のアンテナ共用器。
【請求項４】
前記第１のインダクタンス素子の前記第２の端は前記グランドに接続されており、
前記第２のインダクタンス素子の前記第２の端は前記グランドに接続されている、請求項１または２に記載のアンテナ共用器。
【請求項５】
前記第１のインダクタンス素子の前記第２の端と前記第２のインダクタンス素子の前記第２の端とに接続された第１の端と、前記グランドに接続された第２の端とを有する第３のインダクタ素子をさらに備えた、請求項１または２に記載のアンテナ共用器。
【請求項６】
アンテナと、
送信回路と
前記送信回路と前記アンテナに接続された送信側フィルタと、
受信回路と、
前記受信回路と前記アンテナに接続された受信側フィルタと、を備え、
前記送信側フィルタの通過帯域は前記受信側フィルタの通過帯域より低く、
前記送信側フィルタは、
前記送信回路と前記アンテナ端子のうちの一方に接続された第１の端子と、
前記送信回路と前記アンテナ端子のうちの他方に接続された第２の端子と、
前記第１の端子に接続された第１の端と、第２の端とを有する第１の直列共振器と、
前記第１の直列共振器の前記第２の端に第１の接続点で接続された第１の端と、前記第２の端子に接続された第２の端とを有する第２の直列共振器と、
前記第１の直列共振器の前記第１の端に接続された第１の端と、第２の端とを有する第１の並列共振器と、
前記第１の接続点に接続された第１の端と、前記第１の並列共振器の前記第２の端に第２の接続点で接続された第２の端とを有する第２の並列共振器と、
前記第１の接続点に接続された第１の端と、第２の端とを有する第３の並列共振器と、
前記第２の直列共振器の前記第２の端に接続された第１の端と、前記第３の並列共振器の前記第２の端に第３の接続点で接続された第２の端とを有する第４の並列共振器と、
前記第２の接続点に接続された第１の端と、グランドに接続された第２の端とを有する第１のインダクタンス素子と、
前記第３の接続点に接続された第１の端と、前記グランドに接続された第２の端とを有する第２のインダクタンス素子と、
を含み、
前記第１の並列共振器と前記第２の並列共振器と前記第１のインダクタンス素子とで前記送信側フィルタの通過帯域よりも低い周波数において減衰極を作り、
前記第３の並列共振器と前記第４の並列共振器と前記第２のインダクタンス素子とで前記送信側フィルタの通過帯域よりも高い周波数において減衰極を作り、
前記第２のインダクタンス素子のインダクタンスは前記第１のインダクタンス素子のインダクタンスの１／５倍よりも小さい、通信機器。
【請求項７】
アンテナと、
送信回路と
前記送信回路と前記アンテナに接続された送信側フィルタと、
受信回路と、
前記受信回路と前記アンテナに接続された受信側フィルタと、を備え、
前記送信側フィルタの通過帯域は前記受信側フィルタの通過帯域より低く、
前記送信側フィルタは、
前記送信回路に接続された第１の端子と、
前記アンテナ端子に接続された第２の端子と、
前記第１の端子に接続された第１の端と、第２の端とを有する第１の直列共振器と、
前記第１の直列共振器の前記第２の端に第１の接続点で接続された第１の端と、前記第２の端子に接続された第２の端とを有する第２の直列共振器と、
前記第１の直列共振器の前記第１の端に接続された第１の端と、第２の端とを有する第１の並列共振器と、
前記第１の接続点に接続された第１の端と、前記第１の並列共振器の前記第２の端に第２の接続点で接続された第２の端とを有する第２の並列共振器と、
前記第１の接続点に接続された第１の端と、第２の端とを有する第３の並列共振器と、
前記第２の直列共振器の前記第２の端に接続された第１の端と、前記第３の並列共振器の前記第２の端に第３の接続点で接続された第２の端とを有する第４の並列共振器と、
前記第２の接続点に接続された第１の端と、グランドに接続された第２の端とを有する第１のインダクタンス素子と、
前記第３の接続点に接続された第１の端と、前記グランドに接続された第２の端とを有する第２のインダクタンス素子と、
を含み、
前記第１の並列共振器と前記第２の並列共振器と前記第１のインダクタンス素子とで前記送信側フィルタの通過帯域よりも低い周波数において減衰極を作り、
前記第３の並列共振器と前記第４の並列共振器と前記第２のインダクタンス素子とで前記送信側フィルタの通過帯域よりも高い周波数において減衰極を作り、
前記第２のインダクタンス素子のインダクタンスは前記第１のインダクタンス素子のインダクタンスよりも小さい、通信機器。
【発明の詳細な説明】
【技術分野】
【０００１】
本発明は、携帯電話等の通信機器にて使用されるアンテナ共用器に関する。
【背景技術】
【０００２】
図４は特許文献１に記載されている従来のアンテナ共用器の送信側フィルタの等価回路図である。従来のアンテナ共用器は、アンテナ端子と、このアンテナ端子に接続された送信側フィルタ１と、アンテナ端子に接続された受信側フィルタとを備える。受信側フィルタの通過帯域は送信側フィルタの通過帯域より低い。【０００３】
送信側フィルタ１は、入力端子２と、入力端子２に接続された直列共振器３と、直列共振器３の出力端に接続された直列共振器４と、直列共振器４の出力端に接続された直列共振器５と、直列共振器５の出力端に接続された出力端子６とを備える。また、送信側フィルタ１は、直列共振器３と直列共振器４との間に一端が接続された並列共振器７と、直列共振器４と直列共振器５との間に順に一端が接続された並列共振器８及び並列共振器９とを備える。また、送信側フィルタ１は、並列共振器７の他端と並列共振器８の他端が接続された接続点とグランド１２との間に電気的に接続されたインダクタンス素子１０と、並列共振器９の他端とグランド１２との間に接続されたインダクタンス素子１１とを備える。【０００４】
送信側フィルタ１では、並列共振器７と並列共振器８とインダクタンス素子１０とで送信帯域より低い周波数に減衰極を作り、並列共振器９とインダクタンス素子１１とで送信帯域より高い周波数に減衰極を作る。【０００５】
送信側フィルタ１はラダー型フィルタであり、一つの並列腕で小さい容量ＣＯＰ３を有する並列共振器９とインダクタンスＬＳＥＲ２を有するインダクタンス素子１１で送信側フィルタの通過帯域すなわち送信帯域より高い周波数Ｆ１で減衰極を作る。
Ｆ１＝１／｛２π（ＬＳＥＲ２ＣＯＰ３）１／２｝
周波数Ｆを高くして送信帯域より高い周波数での減衰量を大きくし、入力端子より入力される送信信号に含まれる高調波を抑制する。【０００６】
並列共振器９とインダクタンス素子１１とからなるＬＣ直列共振回路はインピーダンスＺ1を有する。
Ｚ1＝ｊωＬSER2＋１／｛ｊωＣOP3｝
送信側フィルタ１では、並列共振器９の容量ＣOP3が小さいので、送信帯域より高い周波数においてインピーダンスＺ1は大きい。その結果、従来のアンテナ共用器では、送信帯域より高い周波数で十分な減衰量を得ることができず、送信信号に含まれる高調波によるスプリアスを充分抑制することが困難である。
【先行技術文献】
【特許文献】
【０００７】
【特許文献１】国際公開第０１／００５０３１号パンフレット
【発明の概要】
【０００８】
アンテナ共用器は、アンテナ端子に接続された送信側フィルタと受信側フィルタとを備える。送信側フィルタの通過帯域は受信側フィルタの通過帯域より低い。送信側フィルタは、第１の端子に結合する第１の直列共振器と、第１の直列共振器に第１の接続点で接続された第２の直列共振器と、第１の直列共振器の第１の端に接続された第１の並列共振器と、第１の接続点に接続されて第１の並列共振器に第２の接続点で接続された第２の並列共振器と、第１の接続点に接続された第３の並列共振器と、第３の並列共振器に第３の接続点で接続された第４の並列共振器と、第２の接続点とグランドに結合する第１のインダクタンス素子と、第３の接続点とグランドに結合する第２のインダクタンス素子とを含む。第１と第２の並列共振器と第１のインダクタンス素子とで送信側フィルタの通過帯域よりも低い周波数において減衰極を作る。第３と第４の並列共振器と第２のインダクタンス素子とで送信側フィルタの通過帯域よりも高い周波数において減衰極を作る。第２インダクタンス素子のインダクタンスは第１インダクタンス素子のインダクタンスよりも小さい。
【０００９】
このアンテナ共用器では、送信側フィルタは送信信号に含まれる高調波によるスプリアスを充分抑制することができる。
【図面の簡単な説明】
【００１０】
【図１Ａ】図１Ａは本発明の実施の形態における通信機器のブロック図である。
【図１Ｂ】図１Ｂは実施の形態におけるアンテナ共用器の回路図である。
【図２】図２は実施の形態における他のアンテナ共用器の回路図である。
【図３】図３は実施の形態におけるさらに他のアンテナ共用器の回路図である。
【図４】図４は従来のアンテナ共用器の等価回路図である。
【発明を実施するための形態】
【００１１】
図１Ａは本発明の実施の形態における通信機器１００１のブロック図である。通信機器１００１は例えばＷ−ＣＤＭＡ／ＵＭＴＳの携帯電話である。通信機器１００１は、アンテナ端子１３と送信端子４０Ａと受信端子１６、１７とを有するアンテナ共用器４０を備える。通信機器１００１は、アンテナ共用器４０のアンテナ端子１３に接続されたアンテナ１００１Ａと、アンテナ共用器４０の送信端子４０Ａに接続された送信回路１００１Ｂと、アンテナ共用器４０の受信端子１６、１７に接続された受信回路１００１Ｃとをさらに備える。送信回路１００１Ｂはアンテナ共用器４０の送信端子４０Ａに送信信号を入力する。その送信信号はアンテナ共用器４０を介してアンテナ１００１Ａから電波として放射される。アンテナ１００１Ａは受信信号を受信してアンテナ端子１３に入力する。その受信信号はアンテナ共用器４０を介して受信端子１６、１７から受信回路１００１Ｃに送られる。受信回路１００１Ｃは受信信号を復調、復号化して受信信号を映像や音声に再生する。
【００１２】
図１Ｂはアンテナ共用器４０の回路図である。アンテナ共用器４０は、アンテナ１００１Ａが接続されるように構成されたアンテナ端子１３と、アンテナ端子１３に接続された送信側フィルタ１４と、アンテナ端子１３に接続された受信側フィルタ１５とを備える。受信側フィルタ１５は受信信号を端子１６、１７からバランス出力する。送信側フィルタ１４は、最低周波数から最高周波数までの範囲の通過帯域を有する。同様に、受信側フィルタ１５は、最低周波数から最高周波数までの範囲の通過帯域を有する。実施の形態では送信側フィルタ１４の通過帯域は受信側フィルタ１５の通過帯域に重なっておらず、受信側フィルタ１５の通過帯域より低い。すなわち、送信側フィルタ１４の通過帯域の最高周波数は、受信側フィルタ１５の通過帯域の最低周波数より低い。
【００１３】
送信側フィルタ１４は、ラダー型に接続された複数の弾性表面波素子または弾性境界波素子等の共振器を有するラダー型のフィルタである。送信側フィルタ１４は、送信端子４０Ａに接続されて送信信号が入力される端子１８と、アンテナ端子１３に送信信号を出力する端子２３とを有する。送信側フィルタ１４は、端子１８、２３の間に端子１８から順に直列接続された直列共振器１９、直列共振器２０、直列共振器２１、直列共振器２２をさらに有する。直列共振器１９は信号を入出力する端１９Ａ、１９Ｂを有する。直列共振器２０は信号を入出力する端２０Ａ、２０Ｂを有する。直列共振器２１は信号を入出力する端２１Ａ、２１Ｂを有する。直列共振器２２は信号を入出力する端２２Ａ、２２Ｂを有する。すなわち、直列共振器１９の端１９Ａは端子１８に結合し接続されている。直列共振器１９の端１９Ｂは直列共振器２０の端２０Ａと接続点１４Ａで接続されている。直列共振器２０の端２０Ｂは直列共振器２１の端２１Ａと接続点１４Ｂで接続されている。直列共振器２１の端２１Ｂは直列共振器２２の端２２Ａと接続点１４Ｃで接続されている。直列共振器２２の端２２Ｂは端子２３に接続されている。
【００１４】
送信側フィルタ１４は、並列共振器２４、２５、２６、２７とインダクタンス素子２８、２９をさらに有する。並列共振器２４は信号を入出力する端２４Ａ、２４Ｂを有する。並列共振器２５は信号を入出力する端２５Ａ、２５Ｂを有する。並列共振器２６は信号を入出力する端２６Ａ、２６Ｂを有する。並列共振器２７は信号を入出力する端２７Ａ、２７Ｂを有する。インダクタンス素子２８は端２８Ａ、２８Ｂを有する。インダクタンス素子２９は端２９Ａ、２９Ｂを有する。並列共振器２４の端２４Ａは接続点１４Ａに接続されている。並列共振器２５の端２５Ａと並列共振器２６の端２６Ａは接続点１４Ｂに接続されている。並列共振器２７の端２７Ａは接続点１４Ｃに接続されている。並列共振器２４の端２４Ｂと並列共振器２５の端２５Ｂは接続点１４Ｄで接続されている。並列共振器２６の端２６Ｂと並列共振器２７の端２７Ｂは接続点１４Ｅで接続されている。インダクタンス素子２８は接続点１４Ｄとグランド３１との間に接続されている。インダクタンス素子２８の端２８Ａは接続点１４Ｄに接続されている。インダクタンス素子２９は接続点１４Ｅとグランド３１との間に接続されている。インダクタンス素子２９の端２９Ａは接続点１４Ｅに接続されている。実施の形態では、インダクタンス素子２８、２９の端２８Ｂ、２９Ｂはグランド３１に接続されている。
【００１５】
送信側フィルタ１４では、並列共振器２４、２５とインダクタンス素子２８とで送信側フィルタ１４の通過帯域よりも低い周波数において減衰極を作る。また、並列共振器２６、２７とインダクタンス素子２９とで送信側フィルタ１４の通過帯域よりも高い周波数において減衰極を作る。
【００１６】
インダクタンス素子２９のインダクタンスＬ２はインダクタンス素子２８のインダクタンスＬ１よりも小さい。
【００１７】
送信側フィルタ１４の端子１８、２３間の信号の経路に対して、並列共振器２６、２７は並列に接続されている。送信側フィルタ１４の通過帯域より高い周波数においての減衰極を作るＬＣ直列共振回路はインピーダンスＺ４０を有する。
Ｚ４０＝ｊωＬ２＋１／ｊωＣ
ＬＣ直列共振回路における容量Ｃは、互いに並列に接続された並列共振器２６、２７の合成容量であり大きい。したがって、インピーダンスＺ４０は小さく、送信側フィルタの通過帯域より高い周波数での減衰量を大きくすることができる。
【００１８】
ただし、このＬＣ直列共振回路の容量Ｃが大きくなれば、このＬＣ直列共振回路の共振周波数が低くなり、送信側フィルタ１４の通過帯域より高い周波数で大きな減衰量を得ることができなくなる。インダクタンス素子２９のインダクタンスＬ２をインダクタンス素子２８のインダクタンスＬ１よりも小さくすることにより、その共振周波数Ｆを高くすることができ、その結果、送信側フィルタ１４は送信側フィルタ１４の通過帯域より高い周波数で十分な減衰量を得ることができる。したがって、アンテナ共用器４０では、送信側フィルタ１４で送信信号に含まれる高調波によるスプリアスを抑制することができる。
【００１９】
インダクタンス素子２９のインダクタンスＬ２は、インダクタンス素子のインダクタンスＬ１の１／５倍よりも小さいことが望ましい。これにより、送信側フィルタ１４の通過帯域の周波数の２倍の周波数付近、或いはその周波数より高い周波数で大きい減衰量を有する減衰極を作ることができる。
【００２０】
並列共振器２５の容量は並列共振器２６の容量よりも大きいことが望ましい。これにより、送信側フィルタ１４の通過帯域より低い周波数での減衰極を作るＬＣ直列共振回路の共振周波数を低くすることができる。その結果、インダクタンス素子２８のインダクタンスＬ１を小さくすることができ、インダクタンス素子２８の素子長を短くすることができ、送信側フィルタ１４を小型化することができる。
【００２１】
図１Ａに示す通信機器１００１では、送信回路１００１Ｂは半導体集積回路素子で構成され、受信回路１００１Ｃは再生装置を備える。アンテナ共用器４０の送信側フィルタ１４により送信信号の高調波によるスプリアスが抑制されるので、携帯電話である通信機器の通信品質を向上することができる。
【００２２】
図２は実施の形態による他のアンテナ共用器１４０の回路図である。図２において、図１Ｂに示すアンテナ共用器４０と同じ部分には同じ参照番号を付す。アンテナ共用器１４０は、図１Ｂに示すアンテナ共用器４０の送信側フィルタ１４の代わりに送信側フィルタ１１４を備える。送信側フィルタ１１４は、図１Ｂに示す送信側フィルタ１４に、端３０Ａ、３０Ｂを有するインダクタ素子３０をさらに備える。
【００２３】
図２に示すように、図１Ｂに示す送信側フィルタ１４と同様に、送信側フィルタ１１４でも、インダクタンス素子２８は接続点１４Ｄとグランド３１との間に接続されており、インダクタンス素子２９は接続点１４Ｅとグランド３１との間に接続されている。さらに、インダクタンス素子２８の端２８Ａは接続点１４Ｄと接続され、インダクタンス素子２９の端２９Ａは接続点１４Ｅと接続されている。
【００２４】
図２に示す送信側フィルタ１１４では、インダクタンス素子２８、２９の端２８Ｂ、２９Ｂは接続点１１４Ａで接続されている。インダクタンス素子３０は接続点１１４Ａとグランド３１との間に接続されている。インダクタンス素子３０の端３０Ａは接続点１１４Ａに接続されている。インダクタンス素子３０の端３０Ｂはグランド３１に接続されている。インダクタンス素子３０の端３０Ａはインダクタンス素子２８、２９の端２８Ｂ、２９Ｂに接続されている。このように、送信側フィルタ１１４では、インダクタンス素子２８、２９の端２８Ｂ、２９Ｂはインダクタンス素子３０を介してグランド３１に結合している。
【００２５】
インダクタンス素子３０を流れる電流はインダクタンス素子２８、２９を流れる電流の和であるので、インダクタンス素子３０のインピーダンスが高くなる。その結果、インダクタンス素子２８、２９のインダクタンスを小さくすることができ、インダクタンス素子２８、２９の素子長を短くすることができ、すなわち、送信側フィルタ１１４を小型化することができる。
【００２６】
図１Ａに示す通信機器１００１はアンテナ共用器４０の代わりに図２に示すアンテナ共用器１４０を備えても、送信側フィルタ１１４により送信信号の高調波によるスプリアスが抑制されるので、携帯電話である通信機器の通信品質を向上することができる。
【００２７】
図３は実施の形態によるさらに他のアンテナ共用器２４０のブロック図である。図１Ｂと図２に示すアンテナ共用器４０、１４０では、端子１８は送信側フィルタ１４、１１４に送信信号を入力する入力端子であり、端子２３は送信側フィルタ１４、１１４から信号を出力する出力端子である。図３に示すアンテナ共用器２４０では、送信側フィルタ１４、１１４の端子１８がアンテナ端子１３に接続されて送信信号を出力し、端子２３が送信回路１００１Ｂに接続されて送信信号を送信側フィルタ１４に入力し、アンテナ共用器４０、１４０とほぼ同じ効果をする。しかし、図１Ｂと図２に示すアンテナ共用器４０、１４０では、大きいインダクタンスＬ１を有して長い素子長を有するインダクタンス素子２８をアンテナ端子１３からより遠ざけることができ、インダクタンス素子２８とアンテナ端子１３とのアイソレーションを高めることができる。
【００２８】
このように、送信側フィルタ１４は送信回路１００１Ｂが接続されるように構成され、かつアンテナ端子１３に接続されている。受信側フィルタ１５は受信回路１００１Ｃが接続されるように構成され、かつアンテナ端子１３に接続されている。端子１８は、送信回路１００１Ｂとアンテナ端子１３のうちの一方に結合するように構成されている。端子２３は、送信回路１００１Ｂとアンテナ端子１３のうちの他方に結合するように構成されている。直列共振器２０の端２０Ａは直列共振器１９を介して端子１８に結合する。直列共振器２１の端２１Ａは直列共振器２０の端２０Ｂに接続点１４Ｂで接続されている。直列共振器２１の端２１Ｂは直列共振器２２を介して端子２３に結合する。並列共振器２４の端２４Ａは直列共振器２０の端２０Ａに接続されている。並列共振器２５は、接続点１４Ｂに接続された端２５Ａと、並列共振器２４の端２４Ｂに接続点１４Ｄで接続された端２５Ｂとを有する。並列共振器２６の端２６Ａは接続点１４Ｂに接続されている。並列共振器２７は、直列共振器２１の端２１Ｂに接続された端２７Ａと、並列共振器２６の端２６Ｂに接続点１４Ｅで接続された端２７Ｂとを有する。インダクタンス素子２８は、接続点１４Ｄに接続された端２８Ａと、グランド３１に接続されて結合する端２８Ｂとを有する。インダクタンス素子２９は、接続点１４Ｅに接続された端２９Ａと、グランド３１に接続されて結合する端２９Ｂとを有する。
【産業上の利用可能性】
【００２９】
本発明によるアンテナ共用器では、送信側フィルタが送信信号に含まれる高調波によるスプリアスを充分抑制することができるので、携帯電話等の通信機器に有用である。
【符号の説明】
【００３０】
１３    アンテナ端子
１４    送信側フィルタ
１４Ｂ    接続点（第１の接続点）
１４Ｄ    接続点（第２の接続点）
１４Ｅ    接続点（第３の接続点）
１５    受信側フィルタ
１８    端子（第１の端子）
２０    直列共振器（第１の直列共振器）
２１    直列共振器（第２の直列共振器）
２３    端子（第２の端子）
２４    並列共振器（第１の並列共振器）
２５    並列共振器（第２の並列共振器）
２６    並列共振器（第３の並列共振器）
２７    並列共振器（第４の並列共振器）
２８    インダクタンス素子（第１のインダクタンス素子）
２９    インダクタンス素子（第２のインダクタンス素子）
３０    インダクタンス素子（第３のインダクタンス素子）
３１    グランド
４０    アンテナ共用器
１００１    通信機器
１００１Ａ    アンテナ
１００１Ｂ    送信回路
１００１Ｃ    受信回路
【図１Ａ】
0005381996.tif 000002
【図１Ｂ】
0005381996.tif 000003
【図２】
0005381996.tif 000004
【図３】
0005381996.tif 000005
【図４】
0005381996.tif 000006